【事件の表示】
　特願２０１５−５４５８９６「ドコサペンタエン酸を含む組成物の投与」拒絶査定不服審判事件〔２０１４年６月１２日 国際公開、ＷＯ２０１４／０８９５１１、平成２８年１月１８日 国内公表、特表２０１６−５０１２４９〕について、次のとおり審決する。
【結　論】
　
　本件審判の請求は、成り立たない。
【理　由】
　
第１　手続の経緯
　
　本願は、２０１３年１２月６日（パリ条約による優先権主張　２０１２年１２月６日（以下「本願優先日」という。）、米国（ＵＳ）、２０１３年３月１３日、米国（ＵＳ））を国際出願日とする特許出願であって、出願後の主な手続の経緯は以下のとおりである。　 
　平成２９年　９月２６日付け　：　拒絶理由の通知 
　平成３０年　４月　４日　　　：　意見書及び手続補正書の提出 
　平成３０年　４月２０日付け　：　拒絶査定 
　平成３０年　９月　３日　　　：　審判請求書及び手続補正書の提出 
　
第２　平成３０年９月３日提出の手続補正書による手続補正についての補正
　　の却下の決定 
　
［補正の却下の決定の結論］
　平成３０年９月３日提出の手続補正書による手続補正（以下「本件補正」という。）を却下する。　 
　
［理由］
　
１　本件補正の内容　 
　
　本件補正は、特許法第１７条の２第１項ただし書第４号に掲げる場合の、拒絶査定不服審判の請求と同時になされた補正であって、本件補正前の特許請求の範囲（平成３０年４月４日提出の手続補正書を参照。）に記載された請求項１：　
　
「【請求項１】 
　エイコサペンタエン酸（ＥＰＡ）、ドコサペンタエン酸（ＤＰＡ）、および任意でドコサヘキサエン酸（ＤＨＡ）を含む、対象におけるトリグリセリドレベルをベースライントリグリセリドレベルから減少させるための組成物であって、ＥＰＡおよびＤＰＡの量が、前記組成物中に存在する脂肪酸の総量に対して約５５重量％以上であり
、
（当審注：本件補正による変更箇所の変更前の記載に、当審合議体が下線を付した。） 
　
を、本件補正後の特許請求の範囲（平成３０年９月３日提出の手続補正書を参照。）に記載された請求項１：　 
　
「【請求項１】 
　エイコサペンタエン酸（ＥＰＡ）、ドコサペンタエン酸（ＤＰＡ）、および任意でドコサヘキサエン酸（ＤＨＡ）を含む、対象におけるトリグリセリドレベルをベースライントリグリセリドレベルから減少させるための組成物であって、ＥＰＡおよびＤＰＡの量が、前記組成物中に存在する脂肪酸の総量に対して約５５重量％以上であり、
ＤＨＡ：ＥＰＡの比が、１：２０未満の比であり、
（当審注：下線部は本件補正による変更箇所であり、上記手続補正書に記載されたとおりである。）
　
とする補正を含むものである。  
　
２　本件補正の適否
　
（１）本件補正の目的について
　
　本件補正のうち、上記請求項１についての補正は、上記「１　補正の内容」で摘示したとおり、本件補正前の請求項１に記載された発明を特定するために必要な事項である、組成物の含有成分の「エイコサペンタエン酸（ＥＰＡ）」と「ドコサヘキサエン酸（ＤＨＡ）」について、本件補正後の請求項１では、その含有量の比を「
ＤＨＡ：ＥＰＡの比が、１：２０未満の比
　そこで、本件補正後の請求項１に記載された事項によって特定される発明（以下「本件補正発明」という。）が、同法同条第６項において準用する同法第１２６条第７項の規定に適合するか（特許出願の際独立して特許を受けることができるものであるか）について、以下、検討する。
　
（２）引用文献の記載事項等
　
　ア　引用文献１の記載事項
　
　原査定の拒絶の理由において、「引用文献１」として引用された、本願優先日前に頒布された刊行物である、「Lipids, 2010, Vol.45, p.669-681」には、以下の事項が記載されている。なお、原文は英語のため、当審合議体による和訳で摘記する。また、下線は当審合議体が付した。
　
（摘記１ａ）
「健康な被験者における血小板パラメータ及び
血漿脂質に及ぼすアザラシ油
の影響
「
要約
長鎖多価不飽和 n-3 脂肪酸
LC n-3 PUFA
ドコサペンタエン酸（DPA）は
アザラシ油
に
より多くみられる
マグロ油
アザラシ油
340mg EPA
230mg DPA
450mg DHA
プラセボ（sunola）油
LC n-3 PUFA のレベルは、魚油とアザラシ油のいずれの群でも、約1g/日
ベースラインの食事性 FA 及び他の栄養素の投与量は、全ての群で同様
アザラシ油群のみ
血漿トリアシルグリセロールが減少し（P ＝ 0.03）
恐らく EPA と同様に高い DPA の含有量のため
アザラシ油は
魚油よりも、健康的な血漿脂質プロファイルを促進し、血栓リスクを低下させるのに、より効率的である可能性がある
「略語
　・・・・
　ANOVA　　分散分析　
　・・・・
　CVD　　　心血管疾患
　・・・・」
（６６９頁「表題」、同頁「Abstract」、同頁右欄「Abbreviations」）
　
（摘記１ｂ）
「
緒言
　・・・・。
　
EPA と DHA は
血漿トリアシルグリセロールレベルを低下させる
　赤身肉には、比較的少量の EPA と DHA が含まれているが、別の LC n-3 PUFA である：
ドコサペンタエン酸
C22：5n-3
DPA
　DPA の、EPA と DHA との分子構造の類似性が、心血管パラメーターに関して、DPA が、DHA と EPA と類似の有益な効果を持つことを実現可能としている。これらの 3つの LC n-3 PUFA は全て、頸動脈中内膜肥厚と有意に逆相関があり [22]、DPA は、EPA や DHA と同様に、血小板に対して抗凝集作用があることが示されている [26,27]。健康な男性を対象とした大規模な予測研究において、EPA の血清レベルは急性冠動脈イベントのリスク低下と関連していなかったが、最高のレベルで DHA と DPA を併用摂取した被験者は、最低のレベルで摂取した者と比較して、リスクが低下した [28]。サプリメントの
アザラシ油は、（魚油と比べて）DPA が比較的豊富であり
正常な男性における LC n-3 PUFA 状態の血清リン脂質の増大を誘導する
　純粋な食品グレードの DPA の市販量は、現在のところ臨床試験での使用には入手できない。
アザラシ油（EPA と幾分かの DHA も含む）は
血中脂質と血小板因子に及ぼすアザラシ油の効果
マグロ魚油
アザラシ油に対し
極僅かな DPA
40% 未満の EPA
2倍の DHA
の当該効果と比較して調査した
（６７０頁左欄３行、同頁左欄下３〜１行、同頁右欄７〜１０行、同頁右欄２０〜３６行、同頁右欄４２行〜末行）
　
（摘記１ｃ）
「
試験方法
　・・・・。
　
試験計画
　本研究は、ランダム二重盲検プラセボ対照臨床試験であり、14日間（完全な血小板の代謝回転に十分）にわたって実施した。当初14日間のウォッシュアウト期間（LC n-3 PUFA が非常に少ない一般的な食事）の後、被験者を、次の3群のいずれかにランダムに割り当てた：
プラセボ油
Sunola−高オレイン酸ヒマワリ油
マグロ魚油
アザラシ油
　
プラセボ群は
sunola油
85％ 18:1n9
5％ 18：2n6
5％ 16：0
カプセル
500mg
1日に10個
EPA、DPA、DHA、その他の LC PUFA を欠いているが
1日に約4gのモノ不飽和油
表１
魚油の被験者
4個のプラセボカプセル
DHA が豊富で、EPA と少量の DPA も含む、マグロ魚油のカプセル
500mgを6個
1日
第3の群
EPA、DHA 及び相当量の DPA（魚油の7倍以上）を含有する、アザラシ油のカプセル
500mg
1日に10個
表２
（６７１頁左欄１行、同頁左欄２４行〜同頁右欄２６行）　
（摘記１ｄ）
「
表１
主な脂肪酸
　　　　（mg FA / 
500mg 油
　脂肪酸　　　　　　　　プラセボ　　　　　　　魚　　　　
アザラシ
　　　　　　　　　　　　（sunola）油　　　　　油　　　　
油
　C18：1n-9　　　　　　　　425　　　　　　　　61　　　　　　142
　C20：5n-3（EPA）　　　　 　0　　　　　　　　35　　　　　　 34
　
C22：5n-3（DPA）
0
5
23
　C22：6n-3（DHA）　　　　 　0　　　　　　　 135　　　　　　 45
　500mgカプセルあたり　　　　0　　　　　　　 175　　　　　　102
　LC n-3 PUFA の合計　
　被験者は、
1日に
4個のsunola油カプセル、又は、
10個のアザラシ油カプセルを摂取
（６７１頁右欄「Table 1」）
　
（摘記１ｅ）
「
表２
オレイン酸
長鎖 n-3 PUFA
日
　　　　カプセルの摂取による）
　脂肪酸　　　　　　　　プラセボ　　　　　　 魚油　　 
アザラシ油
　　　　　　　　　　　　（sunola）油群　　　 群　　　 
群
　C18：1n-9　　　　　　　　4,250　　　　　　1,944　　　　　1,420
　C20：5n-3（EPA）　　　　　　 0　　　　　　　210　　　　　　340
　
C22：5n-3（DPA）
0
30
230
　C22：6n-3（DHA）　　　　　　 0　　　　　　　810　　　　　　450
　LC n-3 PUFA 合計　　　　　　 0　　　　　　1,050　　　　　1,020　」
（６７１頁右欄「Table 2」）　
　
（摘記１ｆ）
「
結果
　
被験者
　当初30名の被験者のうち、3名は、時間的制約又は瀉血困難のため、試験から撤退したが、その全員が偶然にもプラセボ群のメンバーであった。残りの被験者は、年齢と体重がよく適合していた（
表３
（６７３頁左欄下１３〜７行）
（摘記１ｇ）
「
表３
　　　　（n ＝ 27）
　人口統計学　　プラセボ　　　　　魚油　　　　　　 
アザラシ油
　パラメータ　　（n = 7）　　　　 （n = 10）　　　 
（n = 10）
　性別：　　　　 5/2　　　　　　　5/5　　　　　　　8/2
　　女性/男性
　年齢（歳）　　 29±5（23-36）　 30±8（21-43）　 31±6（23-41）
　重量（kg）　　 68±17（50-98）　72±14（48-88）　78±14（60-99）
　数値は、平均値±SD（範囲）である。 nは、参加者の数である。　　　」
（６７３頁右欄「Table 3」）
（摘記１ｈ）
「
　　　　　　　　　　　　　　　　　　　　　　　　　　　　　　　　　」
（６７５頁「Table 5」）
（和訳（表の説明、項目名及び注釈の部分のみ）：
　
表５
マグロ魚油
　　　　のカプセルを投与される被験者の１日あたりの脂肪酸の摂取の平均
　　　　ベースライン（ｇ／日）
　脂肪酸　プラセボ（n = 6）a　
魚油
　
　数値は、平均値±標準偏差である。
　a 不十分な食餌データのため被験者数を減らした（本文参照）。
　プラセボ、
魚油
　女性５／男性１、女性５／男性５、女性７／男性１であった。
　・・・・　）
（摘記１ｉ）
「
血中脂質プロファイル
　
ベースラインの
トリアシルグリセロール
表７
HDL-コレステロール
アザラシ油の投与後
有意に増加
トリアシルグリセロール
アザラシ油の投与により有意な減少が誘導された
（６７５頁左欄下１７〜４行）
　
（摘記１ｊ）
「
　　　　　　　　　　　　　　　　　　　　　　　　」
（６７７頁「Table 7」）
（和訳（数値以外の部分）：
　
表７
　　　　ラシ油の各カプセルの消費の 0日目 及び 14日目の被験者における
　　　　血小板及び血清のパラメータ
　脂肪酸　　プラセボ　　　　魚油　　　　　　
アザラシ油
　（FA）　　（n = 7）　　　 （n = 10）　　　
（n = 10）
　　　　　　 0日 14日 差a　 0日 14日 差a　 0日 
14日
差a
　血小板量（MPV、fL）
　血小板数（9109 L-1）
　血小板活性化（P セレクチン発現、％）
　血小板凝集（s）
　勾配（Ω/s）
　血小板 ATP 放出（1M）
　コレステロール（mmol/L）
　LDL-コレステロール（mmol/L）
　HDL-コレステロール（mmol/L）
　
トリアシルグリセロール（mmol/L）
　Ｃ反応性タンパク質（CRP）（mg/dL）
　数値は、平均値±標準偏差である。* 0日目と14日目との間の差について P＜0.05、グループ内分析、対応ある両側 t 検定
　n 各群の参加者
　a 0日目と14日目の数値差の平均
　b 血小板及び血清のパラメータの変化の群間の分散分析　）
（摘記１ｋ）
「
考察
　本研究では、健康なボランティアに、アザラシ油、マグロ魚油、又はモノ不飽和植物（sunola）油を、14日間サプリメント投与した効果を比較した。その結果は、約 
5g/日のアザラシ油
約1gの LC n-3 PUFA を含有
比較的少量のサプリメントの投与
　・・・・。
　本研究において、
アザラシ油
HDL-コレステロールの有意な増加
アザラシ油
これらの FA の合計投与量は、0.790g/日
EPA 340mg/日、DHA 450mg/日
とさらに低く
この低いサプリメント投与量であっても、我々の参加者の HDL-コレステロールに良い影響を与えたのは
230mg/日の DPA であった可能性
（６７５頁左欄下３行〜同頁右欄６行、６７９頁左欄２９〜３１行、同頁同欄３８〜４６行）
　
（摘記１ｌ）
「上昇したトリアシルグリセロールは CVD の危険因子であり、
アザラシ油のサプリメントはトリアシルグリセロールの有意な減少を誘導した
少なめの投与量のアザラシ油によって
高トリグリセリド血症の被験者において
血漿トリアシルグリセロールが有意に減少した
アザラシ油中の DPA 及び/又は EPA の、より高いレベルが、HDL-コレステロール及びトリアシルグリセロールのレベルに対する、より大きな効果の原因になっている可能性がある
DPAが、脂肪酸合成の減少により、トリアシルグリセロールを減少させる可能性がある
（６７９頁右欄２３行〜末行）
　
（摘記１ｍ）
「結論を纏めると、低用量の
アザラシ油サプリメント中
DPA は
被験者の心血管の健康を保護する変化を誘導する
単独で又は EPA とともに
トリアシルグリセロールレベルを減少させる
アザラシ油サプリメントの有益な効果は
DHA はずっと多く、EPA は少なく、DPA は極僅かである、マグロ魚油の効果より大きかった
DPA が
直接的にも、 EPA への逆変換を経由しても
CVD リスク因子の低減において
DHA よりも効率的である可能性がある
（６８０頁左欄９〜２５行）
　
　イ　引用文献１に記載された発明
　
　前記アの摘記事項より、引用文献１には、ドコサペンタエン酸（ＤＰＡ）を多く含み、エイコサペンタエン酸（ＥＰＡ）および幾分かのドコサヘキサエン酸（ＤＨＡ）も含む、アザラシ油を、健康な被験者に１４日間にわたり投与し、アザラシ油が血中脂質等に及ぼす効果を、マグロ魚油（アザラシ油に対して、ＤＰＡは極僅か、ＥＰＡは４０％未満、ＤＨＡは２倍、含む）の当該効果と比較調査した試験について記載されており（摘記１ａ〜１ｃ）、被験者に投与されたアザラシ油を含有する食事サプリメントのソフトジェルカプセルは、１カプセルに５００ｍｇの脂肪酸が含まれており、そこには、オレイン酸（C18：1n-9）が１４２ｍｇ、ＥＰＡが３４ｍｇ、ＤＰＡが２３ｍｇ、ＤＨＡが４５ｍｇ、それぞれ含まれていたこと（摘記１ｄ：表１）、被験者は１日に１０個の当該カプセルを投与されたこと（摘記１ｃ、１ｅ：表２）、当該カプセルを投与された被験者の血中トリアシルグリセロール濃度（ｍｍｏｌ／Ｌ）は、０日目と１４日目との差が、−０．４０（Ｐ＝０．０３）であり、有意な減少が生じたのに対し、マグロ魚油を含有するカプセルを投与された被験者では、血中トリアシルグリセロール濃度に有意な減少がみられなかったこと（摘記１ｉ、１ｊ：表７）、が記載されていると認められる。
　そして、上記のアザラシ油を含有するカプセルの１個には、ＥＰＡおよびＤＰＡの量（５７ｍｇ＝３４ｍｇ＋２３ｍｇ）が、脂肪酸の総量（５００ｍｇ）に対して、１１．４重量％の割合で含まれており、ＤＰＡが２３０ｍｇ／日の量（２３０ｍｇ／日＝２３ｍｇ×１０個／日）で被験者に投与されたことが認められる。
　また、上記の血中トリアシルグリセロール濃度の減少は、カプセルの投与０日目の血中トリアシルグリセロール濃度から減少したものであると認められる。
　そうすると、引用文献１には、次の発明（以下「引用発明」という。）が記載されているものと認められる。
　
≪引用発明≫
「エイコサペンタエン酸（ＥＰＡ）、ドコサペンタエン酸（ＤＰＡ）、およびドコサヘキサエン酸（ＤＨＡ）を含む、被験者における血中トリアシルグリセロール濃度を投与０日目の血中トリアシルグリセロール濃度から減少させるためのカプセルであって、ＥＰＡおよびＤＰＡの量が、前記カプセル中に存在する脂肪酸の総量に対して１１．４重量％であり、前記カプセルが、ドコサペンタエン酸が２３０ｍｇ／日の量で被験者に投与されるように用いられる、含まれる主な脂肪酸が以下の組成（ｍｇ ＦＡ / ５００ｍｇ 油）を有する、前記カプセル。
　脂肪酸（ＦＡ）
　C18：1n-9（オレイン酸）　　１４２ｍｇ
　C20：5n-3（ＥＰＡ）　　　　　３４ｍｇ
　C22：5n-3（ＤＰＡ）　　　　　２３ｍｇ
　C22：6n-3（ＤＨＡ）　　　　　４５ｍｇ　　　　　　　　　　　　　」
　
（３）本件補正発明と引用発明との対比
　
　本件補正発明と引用発明とを対比する。
　引用発明における、「被験者」、「血中トリアシルグリセロール濃度」、「投与０日目の血中トリアシルグリセロール濃度」、「カプセル」は、本件補正発明における、「対象」、「トリグリセリドレベル」、「ベースライントリグリセリドレベル」、「組成物」に、それぞれ相当する。
　また、引用発明における「２３０ｍｇ／日の量」は、本件補正発明で規定する「１６０ｍｇ／日〜約６００ｍｇ／日の量」の範囲内である。
　そうすると、本件補正発明と引用発明との間には、次の一致点及び相違点があるものと認められる。
　
＜一致点＞
「エイコサペンタエン酸（ＥＰＡ）、ドコサペンタエン酸（ＤＰＡ）、および任意でドコサヘキサエン酸（ＤＨＡ）を含む、対象におけるトリグリセリドレベルをベースライントリグリセリドレベルから減少させるための組成物であって、前記組成物が、ドコサペンタエン酸が１６０ｍｇ／日〜約６００ｍｇ／日の量で対象に投与されるように用いられる、前記組成物。」
　
＜相違点１＞　
　組成物中に存在する脂肪酸の総量に対する、ＥＰＡおよびＤＰＡの量が、本件補正発明は「約５５重量％以上」であるのに対し、引用発明は「１１．４重量％」である点。
　
＜相違点２＞
　本件補正発明は、「ＤＨＡ：ＥＰＡの比が、１：２０未満の比」であるとされているのに対し、引用発明は、そのような特定がなされていない点。
　
（４）相違点についての判断
　
　上記各相違点について検討する。
　
ア　相違点１について
　
　前記（２）イにて認定した引用文献１に記載された試験において、１０個のカプセルにより１日に被験者に投与された、アザラシ油群とマグロ魚油群の長鎖多価不飽和 n-3 脂肪酸（LC n-3 PUFA）の量をみると（摘記１ｅ：表２）、マグロ魚油群では、ＥＰＡが２１０ｍｇ、ＤＰＡが３０ｍｇ、ＤＨＡが８１０ｍｇであるのに対して、アザラシ油群では、ＥＰＡが３４０ｍｇ、ＤＰＡが２３０ｍｇ、ＤＨＡが４５０ｍｇであるから、アザラシ油群では、マグロ魚油群に対して、ＥＰＡは約１．６倍、ＤＰＡは約７．７倍、ＤＨＡは約０．６倍の投与量であった。また、アザラシ油群とマグロ魚油群のいずれでも、１日に投与された１０個のカプセルに、多量のオレイン酸が含まれていた（アザラシ油群では、１，４２０ｍｇ、マグロ魚油群では、１，９４４ｍｇである）（摘記１ｅ：表２）。
　そして、引用文献１における以下の各記載：
「したがって、恐らく EPA と同様に高い DPA の含有量のため、アザラシ油は、魚油よりも、健康的な血漿脂質プロファイルを促進し、血栓リスクを低下させるのに、より効率的である可能性がある。」（摘記１ａ）、
「アザラシ油中の DPA 及び/又は EPA の、より高いレベルが、HDL-コレステロール及びトリアシルグリセロールのレベルに対する、より大きな効果の原因になっている可能性がある。」（摘記１ｌ）、及び、
「我々の結果は、DPA が、直接的にも、 EPA への逆変換を経由しても、幾つかの CVD リスク因子の低減において、DHA よりも効率的である可能性があることを示唆している。」（摘記１ｍ）
からみて、引用文献１には、アザラシ油が、ＥＰＡとともに、ＤＰＡを多く含有していることが、ＤＰＡの含有量が少なくＤＨＡを多く含むマグロ魚油と比較して、有意な血中トリアシルグリセロール濃度の減少を誘導したことの大きな原因である可能性がある旨が記載されており、ＤＰＡが単独で又はＥＰＡとともに、トリアシルグリセロールレベルを減少させたと推測される旨が記載されているといえる。
　なお、引用文献１では、筆者らが行った試験に関する記述において、「マグロ魚油」のことを、単に「魚油」と略記している箇所があることは明らかである（摘記１ｈ）。
　このような引用文献１の記載に接した当業者ならば、上記試験において、血中トリアシルグリセロール濃度（即ち、トリグセリセリドレベル）を減少させた効果は、ＤＰＡがＥＰＡとともに有効成分として作用したことに起因するものであると認識するといえる。
　また、一般的に、医薬組成物や補助食品組成物の分野では、意図する効果への寄与が小さい成分の含有量を減らしたり、有効成分の含有割合を高めることは、通常行われていることである。
　そうすると、引用発明において、アザラシ油の含有成分のうち、トリグリセリドを減少させる効果への寄与がＤＰＡ及び／又はＥＰＡよりは小さいと推定されるオレイン酸及びＤＨＡについて、除去するか含有量を減らすなどして、当該効果への寄与が高いと推定されるＤＰＡについては、ＥＰＡとともに、その相対的な含有割合を高め、その結果として、ＥＰＡおよびＤＰＡの量が、前記組成物中に存在する脂肪酸の総量に対して約５５重量％以上、との条件を満たすものとすることは、当業者が容易になし得たことである。
　
イ　相違点２について
　
　本件補正発明における、相違点２に係る「ＤＨＡ：ＥＰＡの比が１：２０未満の比」という発明特定事項については、その文言からすると、ＤＨＡが１に対し、ＥＰＡが２０未満である、ということを意味すると解される。
　引用発明の組成物の成分の含有量において、ＤＨＡ：ＥＰＡの比は、４５ｍｇ：３４ｍｇであり、換算すると「１：約０．７５」となり、「１：２０未満」という条件を満たすことになるため、相違点２は実質的な相違点ではない。
　なお、本願明細書には、【００４７】に「DHA対EPAの比(DHA:EPA)が1:20未満であり」という記載があるところ、例えば、【００５４】には、
「いくつかの態様では、組成物中に存在する脂肪酸の総量に対して
相対的に少量のDHAが存在
1%以下のDHA
という記載があることに加えて、【０１２７】〜【０１４６】に記載された処方例である実施例１〜１３の組成物のうち、実施例１〜６の組成物では、ＤＨＡ（c22:6n3）の含有量が0.01%未満である一方で、ＥＰＡ（c20:5n3）の含有量は最小でも55.79%（実施例５）であることも踏まえると、本件補正発明の組成物は、ＤＨＡの含有量が少ないことも想定しているとも解され、そうであるなら、上記の「ＤＨＡ：ＥＰＡの比が１：２０未満の比」という事項は、ＤＨＡ：ＥＰＡの比の値である「ＤＨＡ／ＥＰＡ」が「１／２０」未満である、ということを意味している可能性もあるといえる。
　しかし、仮に、相違点２に係る上記発明特定事項が、ＤＨＡ：ＥＰＡの比の値である「ＤＨＡ／ＥＰＡ」が「１／２０」未満である、ということを意味しているとしても、前記アにて検討したように、引用発明において、アザラシ油の含有成分のうち、トリグリセリド減少効果への寄与が小さいと推定されるＤＨＡについて、除去又は含有量を減らすなどして、有効成分であると推定されるＤＰＡについては、ＥＰＡとともに、その相対的な含有割合を高め、結果として、「ＤＨＡ／ＥＰＡ」が「１／２０」未満である、という条件も満たすものとすることは、当業者が容易になし得たことである。
　
（５）本件補正発明の効果について
　
　本願明細書の【０１２７】〜【０１４６】、【０１６２】〜【０１６９】に記載されている実施例１〜１３、２９〜３２は、組成物を調製した処方例であって、これらの組成物が、実際に対象のトリグリセリドレベルをベースライントリグリセリドレベルから減少させる効果を奏することは確認されていない。
　【０１４７】〜【０１６１】、【０１７５】〜【０２１６】に記載された実施例１４〜２８、３４〜３７においては、上記の実施例１〜１３、２９〜３２の処方例の組成物のいずれかを用いた、ヒトを対象とした試験について述べられているが、その結果については、例えば、実施例３４では、【０１８１】に、
「試験の結果は、組成物１が基準化合物に比べて優れたバイオアベイラビリティー（AUCおよびCmaxによって測定）を
示すことを示す
見られる
として、定性的な事項が現在形で記述されており、実際に効果を奏したことを具体的かつ客観的に確認することができないうえ、当該記述はトリグリセリドレベルの減少に関するものでもない。
　実施例３５及び３６では、試験方法についての説明は記載されているが、その結果については何も記載されていない。
　実施例３７では、【０２１６】に、
「試験の結果は、組成物１が基準化合物に比べて
優れた空腹時トリグリセリド低下効果を示すことを示す
この効果は絶食投与条件および/または摂食投与条件下で見られる
との記載はあるものの、やはり定性的な事項の現在形による記述に留まり、実際に効果を奏したことを具体的かつ客観的に確認することはできない。
　実施例１４〜２８では、試験についての記述が簡略なものであり、実施例１４、１７、１９、２１、２３では、単に「
投与する
有意な減少が生じる
　
　本願明細書において、唯一、試験結果が具体的なデータによって示されているのは、【０１７０】〜【０１７４】に記載された実施例３３であるが、同実施例における、「インスリン抵抗性、耐糖能障害、高インスリン血症、肥満、および脂質異常症の特徴を示すことが知られている Charles Riverズッカーfa/fa非糖尿病ラット（系統コード185）」を用いた薬力学効果の試験では、被検物質として、遊離脂肪酸である「ＤＰＡ」ではなく、そのエチルエステルである「
ＤＰＡエチルエステル
の記載によれば、「
ＤＰＡエチルエステル
　しかしながら、当該実施例３３の試験は、本件補正発明に該当する組成物を用いたものではないから、そのような試験の結果をもって、本件補正発明の成分や含有割合等の特定に基づいた特有の効果を把握することはできないし、前記（４）イにて説示したとおり、引用文献１の記載から、ＤＰＡが、ＥＰＡとともに、トリアシルグリセリドレベルを減少させる効果を奏することを、当業者は認識できるといえるから、本件補正発明は、当業者が予測できない程の効果を奏したものとは認められない。　
　
（６）請求人の主張について
　
ア　
　請求人は、審判請求書において、引用文献１に記載されているアザラシ油には、ＤＨＡ及びＥＰＡが、それぞれ４５０ｍｇ及び３４０ｍｇ、含まれており、両者の比（ＤＨＡ：ＥＰＡ）は、約１．３：１であるので、本願発明で規定される「
１：２０未満の比
　しかしながら、前記（４）イで説示したとおり、引用発明の組成物の成分の含有量において、ＤＨＡ：ＥＰＡの比は、４５ｍｇ：３４ｍｇであり、換算すると「１：約０．７５」となるから、本件補正発明で規定する「ＤＨＡ：ＥＰＡの比が、１：２０未満の比」との条件を満たすものであり、仮に、当該規定が、「ＤＨＡ／ＥＰＡ」が「１／２０」未満である、という条件を意味していると解したとしても、引用発明において、アザラシ油の含有成分のうち、トリグリセリドの減少効果への寄与が小さいと推定されるＤＨＡについて、除去又は含有量を減らすなどして、有効成分と推定されるＤＰＡについて、ＥＰＡとともに、その相対的な含有割合を高め、その結果として、当該条件を満たすものとすることは、当業者が容易になし得たことである。
　
イ　
　請求人は、審判請求書において、引用文献１における前記（２）イ（摘記１ｌ）に該当する箇所を引用し、その記載の要点は、
　（ア）トリアシルグリセロールの上昇は、脳血管障害のリスク要因の１つであり、アザラシ油によって健常人のトリアシルグリセロールが減少すること；
　（イ）アザラシ油／タラ肝油を組み合わせると患者のトリアシルグリセロールが減少するが、アザラシ油とタラ肝油をそれぞれ単独で使用しても効果はないこと；
　（ウ）引用文献１の筆者らの研究によると、トリアシルグリセロールのレベルがツナ油では殆ど変化せず、結果、アザラシ油のＤＰＡおよび／またはＥＰＡが有効であることが示されたこと；
　（エ）健常人に、ＤＰＡリッチであって且つＥＰＡリッチでないオイルを投与すると、トリアシルグリセロールの減少が認められること；
　（オ）ＥＰＡではなく、ＤＰＡが有効であると考えられること
との技術的事項であるとしたうえで、当業者が引用文献１の記載から理解し得るのは、トリアシルグリセロール等の脂質パラメータに対する、ＥＰＡ、ＤＰＡ及びＤＨＡの効果は、試験の条件が異なると全く異なる結果となり、効果が一致しないため、単純に有効性を予測することが不可能であることであって、ＥＰＡ、ＤＰＡ及びＤＨＡの効果は、実際に試験を行って確認することで、はじめて理解可能である、と主張している。
　しかしながら、まず、上記（ア）及び（ウ）の事項は、引用文献１に記載された試験の結果について言及している部分であり、その内容も実際の試験の結果と整合しており、何ら矛盾はない。
　上記（イ）の事項は、引用文献１の著者らと異なる者の先行研究について言及している部分であって、アザラシ油を単独で投与しても、被験者のトリアシルグリセロールが減少しなかったとの結果は、引用文献１に記載された結果と整合しないが、試験の詳細な条件等が異なれば、必ずしも同じ結果にならないことは、あり得ることであり、そのことのみをもって、引用文献１に記載された試験の結果からみて、ＤＰＡが、ＥＰＡとともに、トリグリセリドレベルを減少させる有効成分であると、当業者が認識できることが否定されるわけではない。
　上記（エ）の事項も、引用文献１の著者らと異なる者の先行研究について言及している部分であるが、その後続の部分では、「彼らが使用した DHA が豊富な油には、EPA が豊富な油の6倍の量の DPA が含まれており、このことは、EPA よりもむしろ DPA が、トリアシルグリセロールのレベルの低下に有効な（低-DHA）アザラシ油の成分であるという、我々の推測への支持を加えている。」（摘記１ｌ）、という考察が述べられており、引用文献１に記載された試験結果と何ら矛盾するものではない。
　上記（オ）の事項は、ＥＰＡよりもＤＰＡのほうがトリグリセリドレベルを減少させるのに、より有効である旨を述べているに過ぎず、ＥＰＡの効果を否定しているわけではない。実際に、引用文献１の他の箇所には、
「アザラシ油中の 
DPA 及び/又は EPA の
「この比較的研究されていない LC n-3 PUFA は（
単独で又は EPA とともに
DPA が、直接的にも、 EPA への逆変換を経由しても
と記載され、ＤＰＡがＥＰＡとともに有効であると推定される旨が述べられている。
　そして、引用発明が、血中トリアシルグリセロール濃度を減少させるものであることは、前記（２）イ及び（４）アでも説示したとおりである。
　
ウ
　請求人は、審判請求書において、ＤＰＡの投与量を、１６０ｍｇ／日〜約６００ｍｇ／日にすることが最適であることや、ＤＨＡ：ＥＰＡの比を、１：２０未満の比とすることに想到するには、本願発明に係る発明特定事項を事後分析的に含めない限り、当業者といえども不可能ないし困難であって、これが当業者の予測を超えた本願発明の格別顕著な効果にほかならないとも主張している。
　しかしながら、前記（３）で説示したとおり、引用発明は、ＤＰＡの投与量が「２３０ｍｇ／日」であるから、本件補正発明で規定する「１６０ｍｇ／日〜約６００ｍｇ／日」の条件を満たしているうえ、「ＤＨＡ：ＥＰＡの比が、１：２０未満の比」という本件補正発明の条件についても、前記アで改めて説示したとおり、引用発明の組成物が既に満たしているか、当業者が容易に想到し得るものである。そして、本件補正発明が、当業者が予測し得ない程の効果を奏するものではないことも、前記（５）で説示したとおりである。
　　
（７）小括
　
　したがって、本件補正発明は、引用文献１に記載された発明に基いて、本願優先日前に当業者が容易に発明をすることができたものである。
　
３　補正の却下の決定のむすび
　
　以上のとおり、本件補正発明は、特許法第２９条第２項の規定により、特許出願の際独立して特許を受けることができないものであるから、本件補正は、同法第１７条の２第６項において準用する同法第１２６条第７項の規定に違反するので、他の補正事項について検討するまでもなく、同法第１５９条第１項において読み替えて準用する同法第５３条第１項の規定により却下すべきものである。
　よって、上記補正の却下の決定の結論のとおり決定する。
第３　本願発明について 
　
１　本願発明　
　
　前記第２のとおり、平成３０年９月３日提出の手続補正書による手続補正は、却下されたので、本願に係る発明は、当該補正前の平成３０年４月４日提出の手続補正書による手続補正により補正された特許請求の範囲の請求項１〜３９に記載された事項により特定されるものであるところ、その請求項１に係る発明（以下「本願発明」という。）は、前記第２［理由］１に記載した、次のとおりのものである。 
　
「【請求項１】 
　エイコサペンタエン酸（ＥＰＡ）、ドコサペンタエン酸（ＤＰＡ）、および任意でドコサヘキサエン酸（ＤＨＡ）を含む、対象におけるトリグリセリドレベルをベースライントリグリセリドレベルから減少させるための組成物であって、ＥＰＡおよびＤＰＡの量が、前記組成物中に存在する脂肪酸の総量に対して約５５重量％以上であり、ならびに前記組成物が、ドコサペンタエン酸が１６０ｍｇ／日〜約６００ｍｇ／日の量で対象に投与されるように用いられる、前記組成物。」
　
２　原査定の拒絶の理由　
　
　原査定の拒絶の理由は、この出願の請求項１に係る発明は、引用文献１に記載された発明に基いて、本願優先日前に当業者が容易に発明をすることができたものであるから、特許法第２９条第２項の規定により特許を受けることができない、という理由を含むものであり、その対象とされた請求項１に係る発明とは、前記１で認定した本願発明である。
　
３　当審の判断
　
（１）引用文献の記載事項等
　
　原査定の拒絶の理由で引用された「引用文献１」は、前記第２［理由］２（２）アで引用した引用文献１（「Lipids, 2010, Vol.45, p.669-681」）であって、その記載事項は、同第２［理由］２（２）アに摘記したとおりであり、引用発明は、同第２［理由］２（２）イで認定したとおりである。
　
（２）対比・判断　
　
　前記２［理由］２（１）で認定したとおり、本件補正は、特許法第１７条の２第５項第２号の「特許請求の範囲の減縮」を目的とするものに該当するから、本件補正前の請求項１に記載された発明である本願発明は、本件補正発明の発明特定事項を全て包含するものであり、本件補正発明とは、「ＤＨＡ：ＥＰＡの比が、１：２０未満の比であり、」という組成を限定する条件が付されていない、という関係を有するものとなっている。
　そして、前記２［理由］２（３）で説示したとおり、ＤＨＡ：ＥＰＡの比が、１：２０未満の比であり、」との限定条件が付された本件補正発明が、引用文献１に記載された発明に基いて、当業者が容易に発明をすることができたものであるから、当該限定条件が付されていない、本件補正発明を包含する関係にある本願発明も、引用文献１に記載された発明に基いて、当業者が容易に発明をすることができたものである。
　
第４　むすび　 
　以上のとおり、本願請求項１に係る発明は、引用文献１に記載された発明に基いて、本願優先日前に当業者が容易に発明をすることができたものであるから、特許法第２９条第２項の規定により特許を受けることができないものである。
　したがって、他の請求項に係る発明について検討するまでもなく、本願は拒絶をすべきものである。
　よって、結論のとおり審決する。